(57)【要約】【課題】照度アップボタンや照度ダウンボタンを備えていないリモコン装置で所望の調光を行うことのできる調光装置を提供する。【解決手段】送信器２０からの信号に基づいて電灯のオフや調光を行う調光装置３０であって、送信器２０は、第１の明るさより暗い第２の明るさで蛍光灯１０を点灯させるための調光ボタンを備え、前記調光ボタンが押されるごとに、蛍光灯１０の明るさを段階的に切り替える。【選択図】図１
2008010229.tif 000002
【特許請求の範囲】
【請求項１】
リモートコントロール装置からの信号に基づいて電灯の調光を行う調光装置であって、
前記リモートコントロール装置は、全光モードの照度より小さい第１照度で電灯を点灯させる調光ボタンを備え、
この調光ボタンが押されるごとに、前記電灯の明るさを段階的に切り替えることを特徴とする調光装置。
【請求項２】
前記調光装置は、保安球の点灯や調光を行う保安球点灯回路を備え、
前記リモートコントロール装置は、保安球を点灯させる保安球ボタンを備え、
この保安球ボタンが押されるごとに保安球の明るさを段階的に切り替えることを特徴とする請求項１に記載の調光装置。
【発明の詳細な説明】
【技術分野】
【０００１】
この発明は、例えば蛍光灯などの放電灯の明るさを調整することのできる調光装置に関する。
【背景技術】
【０００２】
従来から、放電灯の調光を行う放電灯調光装置が知られている（特許文献１参照）。
【０００３】
かかる放電灯調光装置は、外部から入力される調光信号に基づいて制御部が高周波電源を制御し、この高周波電源はその制御に基づいて高周波信号を生成し、これにより放電灯の調光が行われるようになっている。
【特許文献１】特開平１１−８０８８号公報
【発明の開示】
【発明が解決しようとする課題】
【０００４】
しかしながら、このような調光装置にあっては、リモコン装置で所望の調光を行うようにする場合、リモコン装置に照度アップボタンや照度ダウンボタンを設ける必要があり、照度アップボタンや照度ダウンボタンを備えていないリモコン装置で所望の調光を行うことができないという問題があった。
【０００５】
この発明の目的は、照度アップボタンや照度ダウンボタンを備えていないリモコン装置で所望の調光を行うことのできる調光装置を提供することにある。
【課題を解決するための手段】
【０００６】
請求項１の発明は、リモートコントロール装置からの信号に基づいて電灯の調光を行う調光装置であって、
前記リモートコントロール装置は、全光モードの照度より小さい第１照度で電灯を点灯させる調光ボタンを備え、
この調光ボタンが押されるごとに、前記電灯の明るさを段階的に切り替えることを特徴とする。
【０００７】
請求項２の発明は、前記調光装置は、保安球の点灯や調光を行う保安球点灯回路を備え、
前記リモートコントロール装置は、保安球を点灯させる保安球ボタンを備え、
この保安球ボタンが押されるごとに保安球の明るさを段階的に切り替えることを特徴とする。
【発明の効果】
【０００８】
この発明によれば、照度アップボタンや照度ダウンボタンを備えていないリモコン装置で所望の調光を行うことができる。
【発明を実施するための最良の形態】
【０００９】
以下、この発明に係る調光装置の実施の形態である実施例を図面に基づいて説明する。
【実施例】
【００１０】
図１は蛍光灯である放電灯（電灯）を調光する調光装置３０の構成を示したブロック図である。図１において、１はＡＣ電源、２はＡＣ電源１の交流電圧を整流する整流回路、３は整流回路２で整流された整流電圧の力率を改善する力率改善回路、４は所定の周波数の高周波信号を生成して蛍光灯（電灯）１０を点灯させるインバータ回路、５は保安球（豆ランプ）１１を点灯させる保安球点灯回路、６は送信器であるリモートコントロール装置（リモコン装置）２０のリモコン信号を受信するリモコン信号受信回路、７はリモコン信号受信回路６が受信したリモコン信号に基づいてインバータ回路４や保安球点灯回路５を制御して蛍光灯１０や保安球１１の点灯やその調光を制御する制御回路、８は保護回路である。
【００１１】
リモコン装置２０は、図２に示すように、操作部２０Ａに設けた順送りボタン２１と全光モードに設定する全光ボタン２２と調光モードに設定する調光ボタン２３と保安球モードに設定する保安球ボタン２４と消灯モードに設定する消灯ボタン２５を備えている。リモコン装置２０の前面２０Ｂには赤外光のリモコン信号を発光（送信）する赤外発光部２７が設けられている。
【００１２】
また、リモコン装置２０は、全光ボタン２２が押されると全光モード（予め設定した最大照度）で蛍光灯１０を点灯させる全光信号（リモコン信号）を赤外発光部２７から送信し、調光ボタン２３が押されると全光モードの照度より小さい第１照度で蛍光灯１０を点灯させる調光信号（リモコン信号）を赤外発光部２７から送信し、保安球ボタン２４が押されると保安球１１を点灯させる保安球信号を赤外発光部２７から送信し、消灯ボタン２５が押されると蛍光灯１０や保安球１１を消灯させる消灯信号（リモコン信号）を赤外発光部２７から送信する。
【００１３】
順送りボタン２１が押されると、リモコン装置２０は赤外発光部２７から順送り信号を送信する。
【００１４】
調光装置３０は、リモコン信号受信回路６が順送り信号を受信すると、全光モードのときには調光モード（第１調光）へ移行し、調光モード（第１調光，第２調光，第３調光）のときは保安球モード（第１照度）へ移行し、保安球モード（第１照度，第２照度，第３照度）のときは消灯モードへ移行する。
［動  作］
次に、上記のように構成される調光装置３０の動作について説明する。
【００１５】
リモコン装置２０の調光ボタン２３が押されると赤外発光部２７から第１調光信号が送信され、調光装置３０のリモコン受信回路６がその第１調光信号を受信する。
【００１６】
調光装置３０の制御回路７は、リモコン受信回路６が受信した調光信号に基づいてインバータ回路４を制御し、このインバータ回路４で所定の高周波信号（第１高周波信号）を生成させる。そして、この第１高周波信号により蛍光灯１０が所定の照度（第１照度）で点灯する。
【００１７】
再度、調光ボタン２３を押すと、赤外発光部２７から調光信号が送信され、調光装置３０のリモコン受信回路６がその調光信号を受信する。
【００１８】
制御回路７は、リモコン受信回路６が調光信号を連続的に二度受信したので、インバータ回路４から第２高周波信号を発生させ、蛍光灯１０を第１照度より暗い第２照度で点灯させる。
【００１９】
さらに、調光ボタン２３を押すと、赤外発光部２７から調光信号が送信され、調光装置３０のリモコン受信回路６がその調光信号を受信する。
【００２０】
制御回路７は、リモコン受信回路６が調光信号を連続的に三度受信したので、インバータ回路４から第３高周波信号を発生させ、蛍光灯１０を第２照度より暗い第３照度で点灯させる。
【００２１】
また、調光ボタン２３を押すと、赤外発光部２７から調光信号が送信され、調光装置３０のリモコン受信回路６がその調光信号を受信する。
【００２２】
制御回路７は、リモコン受信回路６が調光信号を連続して四度受信したので、インバータ回路４から第１高周波信号を発生させ、蛍光灯１０を第１照度で点灯させる。
【００２３】
このように、調光ボタン２３を押すごとに、蛍光灯１０の点灯照度が第１照度→第２照度→第３照度→第１照度と順に切り替わっていくので、調光ボタン２３の操作で蛍光灯１０の明るさを段階的に調整することができる。すなわち、調光用の照度アップボタンや照度ダウンボタンを備えていないリモコン装置であっても蛍光灯１０の明るさを段階的に調整することができる。つまり、照度アップボタンや照度ダウンボタンを備えていないリモコン装置で所望の調光を行うことができる。
【００２４】
全光ボタン２２を押すと、赤外発光部２７から全光信号が送信され、調光装置３０のリモコン受信回路６がその全光信号を受信する。
【００２５】
制御回路７は、リモコン受信回路６が全光信号を受信すると、インバータ回路４から全光点灯用の高周波信号を発生させ、蛍光灯１０を第１照度より明るい照度（全光）で点灯させる。
【００２６】
保安球ボタン２４を押すと、赤外発光部２７から保安球信号が送信され、調光装置３０のリモコン受信回路６がその保安球信号を受信する。
【００２７】
制御回路７は、リモコン受信回路６が保安球信号を受信すると、保安球点灯回路５を動作させて保安球を第１照度（蛍光灯１０の第１照度と異なる照度）で点灯させる。
【００２８】
再度、保安球ボタン２４を押すと、赤外発光部２７から保安球信号が送信され、調光装置３０のリモコン受信回路６がその保安球信号を受信する。
【００２９】
制御回路７は、リモコン受信回路６が保安球信号を連続的に二度受信したので、保安球点灯回路５を制御して保安球１１を第１照度より暗い第２照度（蛍光灯１０の第２照度と異なる照度）で点灯させる。
【００３０】
さらに、保安球ボタン２４を押すと、赤外発光部２７から保安球信号が送信され、調光装置３０のリモコン受信回路６がその保安球信号を受信する。
【００３１】
制御回路７は、リモコン受信回路６が保安球信号を連続的に三度受信したので、保安球点灯回路５を制御して保安球１１を第２照度より暗い第３照度（蛍光灯１０の第３照度と異なる照度）で点灯させる。
【００３２】
また、保安球ボタン２４を押すと、赤外発光部２７から保安球信号が送信され、調光装置３０のリモコン受信回路６がその保安球信号を受信する。
【００３３】
制御回路７は、リモコン受信回路６が保安球信号を連続的に四度受信したので、保安球点灯回路５を制御して保安球１１を第１照度で点灯させる。
【００３４】
このように、保安球ボタン２４を押すごとに、保安球１１の点灯照度が第１照度→第２照度→第３照度→第１照度と順に切り替わっていくので、保安球ボタン２４の操作で保安球１１の明るさを段階的に調整することができ、非常に便利である。また、保安球専用の照度用ボタンを設ける必要がない。
【００３５】
消灯ボタン２５を押すと、赤外発光部２７から消灯信号が送信され、調光装置３０のリモコン受信回路６がその消灯信号を受信し、制御回路７は、保安球点灯回路５の動作を停止させて保安球１１を消灯させる。インバータ回路４が動作している場合にはインバータ回路４の動作を停止させて蛍光灯１０を消灯させる。
【００３６】
順送りボタン２１を押すと、リモコン装置２０は赤外発光部２７から順送り信号を送信し、調光装置３０のリモコン信号受信回路６が順送り信号を受信する。制御回路７は、リモコン受信回路６が順送り信号を受信すると、全光モードのときには調光モード（第１調光）へ移行させて蛍光灯１０を第１照度で点灯させ、調光モード（第１調光，第２調光，第３調光）のときは保安球モード（第１照度）へ移行させて保安球１１を第１照度で点灯させ、保安球モード（第１照度，第２照度，第３照度）のときは消灯モードへ移行させて保安球１１を消灯させる。
【００３７】
図３は蛍光灯１０の連続調光（多段調光）用のＵＰボタン（照度アップボタン）２６とＤＯＷＮボタン（照度ダウンボタン）２７を備えたリモコン装置４０を示したものである。
【００３８】
このリモコン装置４０は、ＵＰボタン２８とＤＯＷＮボタン２９の操作で蛍光灯１０の照度を連続調光することができる他に、調光ボタン２３および保安球ボタン２４の操作で上記と同様に蛍光灯１０および保安球１１の照度を段階的に調整することができるようになっている。
【００３９】
上記実施例では、調光ボタン２３および保安球ボタン２４を押す毎に蛍光灯１０および保安球１１を段階的に暗くしていくようになっているが、この逆に段階的に明るくなるようにしてもよい。
【００４０】
また、上記実施例では、蛍光灯１０の明るさを調光する調光装置について説明したが、これに限らず、他の電灯の明るさを調整する調光装置であってもよい。
【図面の簡単な説明】
【００４１】
【図１】この発明に係る調光装置の構成を示したブロック図である。
【図２】リモコン装置の操作部を示した説明図である。
【図３】他のリモコン装置の操作部を示した説明図である。
【符号の説明】
【００４２】
４        インバータ回路
７        制御回路
１０        蛍光灯
２０        送信器（リモコン装置）
３０        調光装置
【図１】
2008010229.tif 000003
【図２】
2008010229.tif 000004
【図３】
2008010229.tif 000005